(57)【要約】【課題】羽根車の洗浄時の汚れの再付着を防止し、洗浄後の羽根車の浄化度合いを向上することを目的とする。【解決手段】洗浄ケーシング５０に洗浄液５１を貯水して羽根車１０を洗浄するレンジフードにおいて、汚れ除去メッシュ５８を洗浄液５１の静止状態の貯水面よりも上方で洗浄時に洗浄液が到達する位置よりも下方となる位置に備えることで、洗浄液５１に移り混ざった汚れ成分を汚れ除去メッシュ５８にて捕集するので、汚れた洗浄液５１から油捕集機構部２８および羽根車１０のブレード１５に再付着することを防ぐ。【選択図】図１
2018009777.tif 000002
【特許請求の範囲】
【請求項１】
電動機の回転軸に連結した主板と、
この主板の外周部に垂直方向に立設した複数のブレードを有する羽根車と、
前記ブレードを洗浄液に浸漬させるための洗浄ケーシングとを備え、
前記洗浄ケーシングは、
前記洗浄液を貯排する開閉弁と、
前記羽根車の静止状態における前記洗浄液の貯水面よりも上方で、洗浄時に前記羽根車の回転に伴い洗浄液が到達する位置よりも下方となる位置に多孔質体で構成された汚れ除去メッシュを備えたレンジフード。
【請求項２】
前記汚れ除去メッシュは、前記ケーシング外部から着脱可能な構成とする請求項１に記載のレンジフード。
【請求項３】
前記汚れ除去メッシュのさらに上方で、且つ洗浄時に洗浄液が到達する位置に、洗浄液と接触する面が多孔質体で構成された添加剤ポケットを備え、前記添加剤ポケット内には固体の添加剤が設置されている請求項１乃至２に記載のレンジフード。
【発明の詳細な説明】
【技術分野】
【０００１】
本発明は、レンジフードに取り付ける油捕集機構部の汚れ除去に関するものである。
【背景技術】
【０００２】
従来、この種のレンジフードは、図９に示すように、調理器具（図示せず）から発生する油煙や周囲に浮遊する埃等を捕集する吸込口１０１を設けたフード１０２を調理器具の上方の壁面１０３に設置し、フード１０２には、天面には屋外とダクト１０４を介して連通する排出口１０５を設け、内部には回転軸１０６を略水平にして配置した電動機１０７と、回転軸１０６に取り付けた羽根車１０８と、羽根車１０８を包括した洗浄ケーシング１０９を配設し、この羽根車１０８を介し吸込口１０１と排出口１０５を結ぶ通風路１１０を形成している。また、フード１０２の吸込口１０１近傍には平板状の整流板１１１が配設されている。
【０００３】
洗浄ケーシング１０９の下方には、洗浄液１１２を貯水する貯水装置１１３と給水ポンプ１１４を設け、洗浄ケーシング１０９には、給水ポンプ１１４から接続された散水ノズル１１５を設けている。洗浄ケーシング１０９の下端部には孔１１６を設けて、孔１１６には洗浄ケーシング１０９内に洗浄液１１２を貯排する開閉弁１１７を設け、開閉弁１１７の下方に排水トレイ１１８を構成している。
【０００４】
図１０に示すように、遠心ファンの羽根車１０８は、主板１１９に立設した複数のブレード１２０を備え、羽根車１０８内部には、リング状の油捕集機構部１２１を、回転軸１０６方向に間隔を空けて複数枚取り付けている。
【０００５】
以下、そのレンジフードについて図１１を参照しながら説明する。
【０００６】
洗浄時には、羽根車１０８の回転軸１０６より下方の部分が、洗浄ケーシング１０９内で貯水装置１１３から供給された洗浄液１１２に浸漬される。羽根車１０８および油捕集機構部１２１には、レンジフードの使用に伴い汚れが付着している。羽根車１０８を回転軸１０６で回転させることで、汚れが付着した部分を洗浄液１１２に浸漬させて洗浄することができる（例えば、特許文献１を参照）。
【先行技術文献】
【特許文献】
【０００７】
【特許文献１】特開２０１４−０６２７１０号公報
【発明の概要】
【発明が解決しようとする課題】
【０００８】
このような従来のレンジフードにおいては、洗浄時に羽根車表面から剥離した汚れが洗浄液に混ざり、その洗浄液に混ざった汚れが排出時に羽根車表面に接触することで、汚れ成分が羽根車へと再付着するという課題があった。
【０００９】
本発明は、上記従来の課題を解決するものであり、洗浄液に混ざった汚れ成分を捕集する機構を備え、洗浄時の汚れ成分の再付着を防止したレンジフードを提供することを目的としている。
【課題を解決するための手段】
【００１０】
本発明は、上記目的を達成するために、電動機の回転軸に連結した主板と、この主板の外周部に垂直方向に立設した複数のブレードを有する羽根車と、前記ブレードを洗浄液に浸漬させるための洗浄ケーシングとを備え、前記洗浄ケーシングは、前記洗浄液を貯排する開閉弁と、前記羽根車の静止状態における前記洗浄液の貯水面よりも上方で、洗浄時に前記羽根車の回転に伴い洗浄液が到達する位置よりも下方となる位置に多孔質体で構成された汚れ除去メッシュを備えたものであり、これにより所期の目的を達成するものである。
【発明の効果】
【００１１】
本発明によれば、電動機の回転軸に連結した主板と、この主板の外周部に垂直方向に立設した複数のブレード有する羽根車と、前記ブレードを洗浄液に浸漬させるための洗浄ケーシングとを備え、前記洗浄ケーシングは、前記洗浄液を貯排する開閉弁と、前記洗浄液羽根車の静止状態における前記洗浄液の貯水面よりも上方で、洗浄時に前記羽根車の回転に伴い洗浄液が到達する位置よりも下方となる位置に多孔質体で構成された汚れ除去メッシュを備えたことで、洗浄時に羽根車から剥離した汚れ成分が再び羽根車に付着することを防止できるため、洗浄運転後の羽根車の洗浄度を高めることができる。
【図面の簡単な説明】
【００１２】
【図１】本発明の実施の形態１のレンジフードを示す断面構成図
【図２】同レンジフードの羽根車の種類図
【図３】同レンジフードの羽根車の構成正面断面図
【図４】同レンジフードの羽根車の構成斜方図
【図５】同レンジフードのケーシング構成図
【図６】同レンジフードの洗浄工程中の洗浄液の挙動を示す回転軸方向から見た断面図
【図７】同レンジフードの汚れ除去メッシュの構成斜方図
【図８】同実施の形態２のレンジフードの洗浄工程中の洗浄液の挙動を示す回転軸方向から見た断面図
【図９】従来のレンジフードを示す側面断面構成図
【図１０】同レンジフードの羽根車と油捕集機構部の構成を示す図
【図１１】同レンジフードを示す正面断面構成図
【発明を実施するための形態】
【００１３】
本発明の請求項１記載のレンジフードは、電動機の回転軸に連結した主板と、この主板の外周部に垂直方向に立設した複数のブレードを有する羽根車と、前記ブレードを洗浄液に浸漬させるための洗浄ケーシングとを備え、前記洗浄ケーシングは、前記洗浄液を貯排する開閉弁と、前記羽根車の静止状態における前記洗浄液の貯水面よりも上方で、洗浄時に羽根車の回転に伴い洗浄液が到達する位置よりも下方となる位置に多孔質体で構成された汚れ除去メッシュを備えたものである。
【００１４】
これにより、汚れが付着した前記羽根車を洗浄する際、前記羽根車を回転させながら、前記開閉弁を開放することで前記洗浄ケーシング下部に前記洗浄液を貯水すると、前記洗浄液と前記羽根車の衝突により前記羽根車表面に付着した汚れを剥がし落とす。前記汚れ除去メッシュを設置することで前記洗浄液に混ざった油汚れを洗浄工程中に捕集することができるので、前記羽根車への汚れの再付着を防止することができるという効果を奏する。
【００１５】
ここで前記汚れ除去メッシュの設置位置は前記洗浄液の静止状態の水面位置よりも上方でさらに前記羽根車の回転方向側とすることで、前記羽根車の回転により巻き上げられた前記洗浄液が勢い良く多孔質体である前記汚れ除去メッシュに衝突し、油汚れとともに埃に含まれる繊維系の汚れも含んだ汚れ成分は、多孔質体の細孔に引っかかり、より効率良く捕集され、洗浄時間を短くすることできるという効果を奏する。
【００１６】
また、請求項２に記載のレンジフードは、前記汚れ除去メッシュは、前記ケーシング外部から着脱可能な構成とするものである。
【００１７】
これにより、汚れ除去メッシュを簡便に前記ケーシング外部から着脱可能にすることで、ケーシングを分解することなくケーシング内の汚れを十分にメンテナンスすることができるという効果を奏する。
【００１８】
また、請求項３に記載のレンジフードは、前記汚れ除去メッシュのさらに上方で、且つ洗浄時に洗浄液が到達する位置に、洗浄液と接触する面が多孔質体で構成された添加剤ポケットを備え、前記添加剤ポケット内には固体の添加剤が設置されている構成とするものである。
【００１９】
これにより、前記羽根車の回転により巻き上げられた前記洗浄液が勢い良く多孔質素材の洗浄ポケットに衝突することで、前記洗浄ポケット内に収められた添加剤にかかり、洗浄液に添加剤が溶け出す。添加剤が溶け込んだ洗浄液の効果により前記羽根車表面に付着した油汚れが分解し、より高い洗浄効果を奏することが可能となる。
【００２０】
特に、前記汚れ除去メッシュに洗浄液が接触する際も、洗浄液に含まれた油成分は分解しているため、埃成分と洗浄液が分離し易くなり、前記汚れ除去メッシュ上で効率良く捕集することが可能となる。
【００２１】
以下、本発明の実施の形態について図面を参照しながら説明する。
【００２２】
（実施の形態１）
図１に示すように、本実施の形態１では、レンジフード１は、本体２を壁面３に設置し、排出口４にダクト５を接続して屋外と連通している。
【００２３】
本体２は、調理器具（図示せず）の上方で調理器具から発生する油煙や周囲に浮遊する埃等を捕集できるようにフード部６を備えた箱体であって、フード部６の下面７に吸込口８、天面９に前記排出口４を備えている。
【００２４】
本体２の内部には、モータ１３により回転する羽根車１０を備えた送風機１１と羽根車１０を洗浄する洗浄装置１２を備えている。図２に示すように、羽根車１０には、シロッコファン、ターボファン、プレートファンのように、いくつかの種類があり、本発明はこのいずれにも適用可能であるが、ここではシロッコファン（遠心ファン）を用いる。すなわち、羽根車１０は、かご型円筒形状を有している。
【００２５】
送風機１１は、前記羽根車１０に加えて、この羽根車１０を回転させるモータ１３と羽根車１０を包囲するケーシング１４を備えている。
【００２６】
図３および図４に示すように、羽根車１０は、少なくとも、複数のブレード１５と環状の側板１６と円形の主板１７で構成されている。ブレード１５は、送風機１１の送風機流入口１８側に位置する前記側板１６とモータ１３側に位置する主板１７によって両端部を挟み込むようにして配置している。
【００２７】
ブレード１５は、複数を主板１７上の外周部で円環状に配置している。すなわち、ブレード１５は、主板１７から垂直方向に立設し、同一円周上に配置している。
【００２８】
また、ブレード１５の内周部には、羽根車１０の内周を周回するリング状の油捕集機構部２８を、回転軸２１方向に互いに一定距離を離して、複数枚取り付けている。
【００２９】
図５に示すケーシング１４には、送風機流入口１８と送風機吹出口３１が備えられている。
【００３０】
ケーシング１４は、スクロール板３２と、このスクロール板３２を挟むように配置したケーシング前面板３３とケーシング背面板３４と、舌部３５と、スクロール板３２の長手方向において、舌部３５側と反対方向の延長上に備えた延設板３６と、舌部３５の延長上に備えた延長板３７とを備えている。
【００３１】
ケーシング前面板３３とケーシング背面板３４は、羽根車１０の高さ方向に対応して間隔を開けて配置した平面板である。
【００３２】
スクロール板３２は、羽根車１０の外周で、舌部３５を基点として羽根車１０の回転方向に向って風路を拡大する曲面板である。延設板３６はスクロール板３２をさらに送風機吹出口３１へ延設した平面板である。また、延長板３７は、舌部３５の反回転方向側から送風機吹出口３１へ延設した平面板である。なお、ケーシング１４において、延設板３６と、延長板３７は必須ではない。
【００３３】
また、スクロール板３２は、ケーシング１４の側面主要部として配置されており、舌部３５から羽根車１０の回転方向に約３００度の範囲を占めている。
【００３４】
送風機吹出口３１は、ケーシング１４の側面部３８において、ケーシング前面板３３とケーシング背面板３４と延設板３６、延長板３７のそれぞれ端部に囲まれて形成している。また、延設板３６、延長板３７を備えない場合には、ケーシング前面板３３とケーシング背面板３４、スクロール板３２、舌部３５のそれぞれ端部に囲まれて形成すればよい。
【００３５】
図５に示すように、ケーシング１４は、ケーシング前面板３３の略中央部にオリフィス３９を備えている。送風機流入口１８は、オリフィス３９の内周部にある。
【００３６】
また、図１においてケーシング背面板３４側にモータ１３を配置している。そして、モータ１３からシャフト４０を通じ羽根車１０を回転させている。
【００３７】
ケーシング１４は、本体２内部で、ケーシング前面板３３とケーシング背面板３４を立てるように配置している。すなわち、羽根車１０は、回転軸２１を横にして配置し、送風機吹出口３１を上方へ向けて配置している。
【００３８】
そして、送風機吹出口３１は、本体２の排出口４へ接続されている。送風機流入口１８は、本体２内部に開口し、吸込口８に連通している。
【００３９】
モータ１３の内部には、回転数センサー（図示せず）と電流センサー（図示せず）がついており、電動機の回転数と電流値を検知する。回転数センサーとしては、ホールＩＣが好ましく、コストが安く精度がいいからである。
【００４０】
洗浄装置１２は、送風機１１のケーシング１４でもある洗浄ケーシング５０と、洗浄液５１を貯水する貯水装置５２と、給水ポンプ５３と、散水ノズル５４と排水トレイ５５を備えている。
【００４１】
貯水装置５２は、洗浄ケーシング５０の下方に設けている。
【００４２】
給水ポンプ５３は、貯水装置５２に貯水した洗浄液５１を散水ノズル５４へ送水するものであって、本体２内部に設けている。
【００４３】
洗浄ケーシング５０は、ブレード１５と油捕集機構部２８の洗浄の際に洗浄液５１を貯めることができる機体であって、洗浄ケーシング５０の下端部に孔５６を設けて、孔５６には洗浄ケーシング５０内に洗浄液５１を貯排する開閉弁５７を設け、開閉弁５７の下方に排水トレイ５５を配置している。洗浄ケーシング５０として洗浄液５１の貯液量は、ブレード１５と油捕集機構部２８の一部が浸る程度あれば良い。
【００４４】
また、図５に示すように洗浄ケーシング５０の側面であるケーシング１４の延設板３６にはホルダ５９が設けられており、汚れ除去メッシュ５８の取手６０をつまんで手前方向（矢印の方向）に引き出すことで、ケーシング１４から汚れ除去メッシュ５８を着脱することが出来る。
【００４５】
本実施の形態ではホルダ５９を延設板３６に設けているが、スクロール板３２に設けても良い。ホルダ５９は、羽根車１０の静止状態において洗浄液５１の貯水面よりも上方で、洗浄時に羽根車１０の回転に伴い洗浄液５１が到達する位置よりも下方となる位置に、多孔質体で形成された汚れ除去メッシュ５８を設置することが重要である。
【００４６】
散水ノズル５４は、ケーシング背面板３４に設けている。
【００４７】
上記構成において、調理で油煙が発生しているときにモータ１３（好ましくはＤＣモータ）を作動させると、羽根車１０が回転し、油煙や埃を含んだ空気が吸込口８から吸い込まれ、本体２内で羽根車１０内を通過する際、油や埃がリング状の油捕集機構部２８に衝突してくっついて捕集され、それらが除去された空気が洗浄ケーシング５０内を通った後、排出口４を介してダクト５を通って屋外に排出される。
【００４８】
これを繰り返すと、油捕集機構部２８、羽根車１０のブレード１５および主板１７に油や埃が蓄積されていき、目詰まりを発生させ、排出風量の低下を招いたり、美観が損なわれたりすることとなる。そこで、排出風量の低下を防ぐために、油捕集機構部２８、羽根車１０のブレード１５の洗浄を行うこととなる。
【００４９】
前記洗浄を行なう洗浄工程では、まず、モータ１３を停止させ、開閉弁５７を閉じ、給水ポンプ５３により貯水装置５２に貯めた洗浄液５１を汲み上げ散水ノズル５４に供給する。貯水装置５２内の洗浄液５１は事前に給水しているものとする。その後、モータ１３を作動して羽根車１０を回転させながら散水ノズル５４より洗浄液５１を噴射すると、噴射された洗浄液５１は、洗浄ケーシング５０へと落下する。これにより洗浄液５１は洗浄ケーシング５０の底部分に貯水される。加えて洗浄ケーシング５０の底部分に洗浄液５１が貯水された状態で、モータ１３を回転させることで、油捕集機構部２８の全周と羽根車１０のブレード１５が洗浄液５１に浸漬され、洗浄される。
【００５０】
洗浄されることで、油捕集機構部２８の全周と羽根車１０のブレード１５に蓄積していた油や埃の汚れは、油捕集機構部２８の全周と羽根車１０のブレード１５から剥がれ落ちて洗浄ケーシング５０に貯水されている洗浄液５１へと混ざり込む。
【００５１】
羽根車１０の表面における汚れは洗浄工程が進むにつれ軽減されていくが、その分、洗浄液５１中に汚れ成分が移動する状態となる。このままでは、羽根車１０の表面から一旦剥がれ落ちた汚れも、洗浄工程の中で、または洗浄終了後の排水工程の中で再び洗浄液５１中から羽根車１０の表面へと再付着するという挙動を示し、洗浄運転終了後において羽根車１０の表面をきれいに保つことができない。そこで、洗浄液に混ざった汚れ成分を捕集する機構として、汚れ除去メッシュ５８を設置することで洗浄液５１に混ざった油汚れを洗浄工程中に捕集することができる。
【００５２】
図６に示すように、洗浄工程において、羽根車１０の回転中は、貯水されている洗浄液５１は洗浄ケーシング５０内で激しく動く。これは、破線矢印で示すような羽根車１０の回転による遠心力や、ブレード１５や油捕集機構部２８へ付着した洗浄液５１が延設板３６側に持ち上げられて、羽根車１０や洗浄液５１から剥離して飛散する挙動によるものである。洗浄工程中に激しく動く洗浄液５１は、回転するブレード１５と洗浄液５１の相対関係で考えると、洗浄液５１にブレード１５が着水する側の水面は、図６において一点鎖線で示す静止状態の水面より低くなり、逆に洗浄液５１からブレード１５が離水する側の水面は、図６において一点鎖線で示す静止状態の水面より高くなり、さらにはブレード１５や油捕集機構部２８へ付着した洗浄液５１が持ち上げられる効果で、延設板３６下部付近まで飛散する。すなわち、羽根車１０の静止状態において洗浄液５１の貯水面よりも上方で、洗浄時に羽根車１０の回転に伴い洗浄液５１が到達する位置よりも下方となる位置に、多孔質体で形成された汚れ除去メッシュ５８を設置することで、洗浄液５１が効率的に汚れ除去メッシュ５８に衝突し、汚れが捕集される。ここで、汚れ除去メッシュ５８が常に浸水する位置に構成していないのは、汚れ除去メッシュ５８の表面が洗浄液５１に覆われることなく剥き出しになっている状態の方が汚れ除去メッシュ５８への衝突エネルギーを高めることが出来るからである。
【００５３】
洗浄時における洗浄液５１と洗浄液５１に混ざった汚れ成分の挙動を、汚れ除去メッシュ５８の構成図である図７を用いて説明する。汚れ除去メッシュ５８は図に示すように、１ｍｍから２ｍｍ程度の細孔が表面に設けられた金属のメッシュ体であり、細孔同士の間を構成する素材の線径も１ｍｍから２ｍｍ程度の大きさのものである。この金属メッシュ体を折り曲げて矩形の箱体を形成したものが所望のスペースに収まっている。この汚れ除去メッシュ５８に汚れを含んだ洗浄液５１が衝突すると、その勢いで洗浄液５１は汚れ除去メッシュ５８に構成された細孔を介して箱体の表面から内部へと通過する。この際、洗浄液５１中の汚れには細孔同士の間を構成する素材の線径の大きさよりも長い繊維状の埃汚れが存在することもあり、細孔間の線形素材に引っかかり捕集される。この埃汚れ中の繊維と油汚れは洗浄液５１中において混合された状態で存在しているため、繊維状の汚れが捕集されると同時に、それをきっかけに油汚れも捕集されることとなる。もともと混合されていなかった繊維と油汚れに関しても、繊維が付着した箇所に関しては汚れ除去メッシュ５８の表面積が大きくなるため、油捕集機構部２８やブレード１５の表面と比較すると、より捕集効率は高い。また、この挙動は汚れ除去メッシュ５８に洗浄液５１が流入するときだけでなく、一度流入した洗浄液５１が汚れ除去メッシュ５８の外部に流出して貯水部に戻る際にも再度起こるので、汚れ除去メッシュ５８表面に汚れ成分が捕集され易くなるのである。
【００５４】
なお、本実施の形態における汚れ除去メッシュ５８の構成は金属メッシュ体を折り曲げて構成した矩形の箱体形状のものとしたが、１ｍｍ〜２ｍｍ程度の細孔が表面に設けられ、且つ細孔の間を構成する素材の線径も１ｍｍ〜２ｍｍ程度であればこれによるものではなく、金属板に細孔を開口して構成したパンチングメタル材や、繊維状の骨格で構成されたスポンジ状のものでもその作用効果に差異は生じない。また、汚れ除去メッシュ５８の構造を内部に空間を有する円筒形状にしてもよく、洗浄工程において、洗浄液５１が通過する際に、繊維状の汚れや油汚れを捕集する構造であれば同様の効果を得ることができる。
【００５５】
また、排水および乾燥は、開閉弁５７を開けて排水トレイ５５に洗浄液５１を移動させ、羽根車１０をモータ１３により回転させ送風することで乾燥させる。
【００５６】
乾燥後には図５に示すように、ホルダ５９から汚れ除去メッシュ５８の取手６０をつまんで手前方向に引き出すことで、洗浄ケーシング５０から汚れ除去メッシュ５８を着脱することが出来る。そして、着脱した汚れ除去メッシュ５８を取り外し、洗剤での手洗いや自動食器洗浄器等を利用して洗浄して汚れ成分を除去した後、再びホルダ５９に取り付ける。
【００５７】
本実施の形態では、汚れ除去メッシュ５８はホルダ５９と着脱可能に固定されているとしたが、この方法に限ったものではなく、汚れ除去メッシュ５８を洗浄ケーシング５０にねじ止めして固定するような方法を用いてもよく、汚れ除去メッシュ５８を取り外し、洗剤での手洗いや自動食器洗浄器等を利用しての洗浄が容易に実施でき、洗浄工程において、汚れ除去メッシュ５８の取り付け部位から洗浄液５１が流出しないような固定方法であれば同様の効果を得ることができる。
【００５８】
以上、一連の洗浄工程により油捕集機構部２８および羽根車１０のブレード１５の表面から、蓄積した汚れ成分を剥離し、さらにはそこから洗浄液５１に移り混ざった汚れ成分を汚れ除去メッシュ５８にて捕集することで、汚れた洗浄液５１から再び油捕集機構部２８および羽根車１０のブレード１５に付着することを防ぐことが出来るので、洗浄運転後の羽根車１０の洗浄度合いを高めることが可能となる。
【００５９】
また、散水ノズル５４の根元に外側からヒータを巻きつけて搭載し洗浄液５１を高温水や加熱スチーム等にすることもできる。これにより、噴射する洗浄液５１を高温水または加熱スチーム等にして噴射することができる。付着した油の温度を上昇させて軟化を促すと、埃汚れと油汚れの集合体自体の流動性が高まり、より汚れ除去メッシュ５８に形成された細孔を汚れ成分が通過しやすくなることで、繊維系の成分が細孔の間に存在する素材に引っかかり易くなり、洗浄効果を高めることができる。また、レンジフード内部の温度を上昇させて、カビや細菌の発生を防止することができるという効果が期待できる。
【００６０】
また散水ノズル５４は可動式で、散水の方向を可変できるようにしてもよく、この場合、広範囲に洗浄液５１を噴射することができ、直接、油捕集機構部２８および羽根車１０のブレード１５に洗浄液５１を衝突させるように噴射することで、洗浄効果を高めることができる。
【００６１】
また、汚れ除去メッシュ５８に洗浄液５１を衝突させるように噴射することで、捕集した汚れ成分を洗い流すことも可能となる。そこで、貯水がない状態で汚れ除去メッシュ５８の表面の油汚れを除去する噴霧を行うことで、油汚れを含む洗浄液５１がケーシング内面を伝い、排水経路に導くことができるため、油捕集機構部２８やブレード１５に汚れを再付着させることなく洗浄、排水することが可能となる。また散水ノズル５４は複数配置させても良く、噴射形状は丸形のみだけでなくホロコーンやスリットなどでも良い、貯水装置５２への洗浄液５１の給水は高温であっても良く、界面活性剤やアルカリ塩などの添加剤６１を加えたものでも良い。また、貯水装置５２への給水は水道から自給式でも良く、６１も自動投入されるものでも良い。また、孔５６は洗浄ケーシング５０の下端部に加えて洗浄ケーシング５０内に複数設けても良い。
【００６２】
また、本実施の形態では、ケーシング１４を備えた送風機について説明したが、洗浄ケーシング５０としては、スクロール板３２と、ケーシング前面板３３とケーシング背面板３４と、舌部３５と、延設板３６と、延長板３７とを必ずしもすべて備わっていなくても良い。洗浄時に洗浄液５１を貯めることができるようにケーシング前面板３３とケーシング背面板３４とこれに挟まれたスクロール板３２と、散水ノズル５４を設置する延設板３６とで機体を形成すれば洗浄液５１を噴射することができ、噴射した洗浄液５１を貯めることができる。この場合、スクロール板３２は、風路を徐々に拡大するものでなくても良い。羽根車１０の回転軸２１より下方を包囲するものであれば洗浄液５１にブレード１５および油捕集機構部２８の一部を浸すことができるからである。特にプレートファンや風路を徐々に拡大するスクロール板までは必要としないターボファンの場合に適用できるものである。
【００６３】
また、本実施の形態では、羽根車は洗浄工程においても送風時と同様に時計回りに回転するとしたが、洗浄工程において送風時と逆方向（図６では半時計回り）に回転してもよく、洗浄液５１の静止状態の貯水面よりも上方で、洗浄工程時に洗浄液５１が到達する位置よりも下方となる位置、すなわち図６において洗浄ケーシングの右側部分に汚れ除去メッシュ５８を設置すれば同様の効果を得ることができるものである。
【００６４】
（実施の形態２）
実施の形態１の構成に加えて、添加剤ポケット６２を備えた構成を説明する。
【００６５】
本実施の形態では、図１１に示すように、汚れ除去メッシュ５８のさらに上部に添加剤６１を内包した添加剤ポケット６２を備えている。添加剤ポケット６２はホルダ５９と同様に、羽根車１０の静止状態において洗浄液５１の貯水面よりも上方で、洗浄時に羽根車１０の回転に伴い洗浄液５１が到達する位置よりも下方となる位置に設置することが重要である。
【００６６】
この添加剤ポケット６２は洗浄液５１と接する面が目の細かい多孔質で形成された添加剤流出面６４で構成されている。さらに、添加剤ポケット６２は内部に侵入した洗浄液５１が添加剤ポケット６２内に留まらず、自重により洗浄ケーシング５０内に排出されるよう添加剤ポケット６２の底面６３が略下向き角度で設置されているものとする。
【００６７】
上記構成において、洗浄工程では、ブレード１５や油捕集機構部２８へ付着した洗浄液５１が回転により持ち上げられる効果で飛散した洗浄液５１が、汚れ除去メッシュ５８同様に、添加剤ポケット６２にも付着する。この際、洗浄液５１と接する面に形成された添加剤流出面６４より浸透した洗浄液５１が添加剤ポケット６２内で添加剤６１と接触し、そこで溶解した洗浄成分が自重で洗浄ケーシング５０へと排出され、洗浄ケーシング５０に貯留された洗浄液５１は添加剤６１の成分を含むものとなる。これにより、ブレード１５や油捕集機構部２８へ付着した油汚れは分解の作用を示し、より洗浄効率は高まることとなる。特に、汚れ除去メッシュ５８に洗浄液５１が接触する際も、洗浄液５１に含まれた油成分は分解しているため、埃成分と洗浄液が分離し易くなり、汚れ除去メッシュ５８上で埃成分を効率良く捕集することが可能となる。
【００６８】
ここで、添加剤６１は固体状であるものが望ましく、添加剤流出面６４を形成する目の細かいメッシュの目地の開口は、添加剤６１の形状よりも小さいことが望ましい。例えば透湿膜の効果を持つ薄膜のようなものであれば、添加剤流出面６４に付着した洗浄液５１は添加剤ポケット６２内に侵入し添加剤６１と接触して添加剤６１を溶解させる。溶解した添加剤６１と洗浄液５１は共に傾斜を利用して自重により再度、洗浄ケーシング５０内に排出されることとなる。この際、溶解していない添加剤６１は添加剤ポケット６２内に留まり、洗浄運転の度に少量ずつ溶解して洗浄効果を高めることとなる。
【００６９】
ここでの添加剤６１はアルカリ成分の剤が望ましく、例えばセスキ炭酸ソーダを用いるのであれば、1回の洗浄あたり５００ｍＬ程度の洗浄液に対して１０グラム程度を溶解させることが出来れば、洗浄液のｐＨを１０程度にすることができ、効率良く油成分を分解させることが可能となる。ただし、ここでのｐＨは、１０に限定するものではなく、８〜１１程度の範囲にすることが出来れば充分に分解の効果があり、その作用に差異は生じない。
【産業上の利用可能性】
【００７０】
本発明にかかるレンジフードは羽根車全体の洗浄を可能とし、洗浄後も汚れの再付着を防止し浄化度合いを維持するものであり、同様の機能が付いた換気装置にも適用することができる。
【符号の説明】
【００７１】
１    レンジフード
２    本体
３    壁面
４    排出口
５    ダクト
６    フード部
７    下面
８    吸込口
９    天面
１０    羽根車
１１    送風機
１２    洗浄装置
１３    モータ
１４    ケーシング
１５    ブレード
１６    側板
１７    主板
１８    送風機流入口
２１    回転軸
２８    油捕集機構部
３１    送風機吹出口
３２    スクロール板
３３    ケーシング前面板
３４    ケーシング背面板
３５    舌部
３６    延設板
３７    延長板
３８    側面部
３９    オリフィス
４０    シャフト
５０    洗浄ケーシング
５１    洗浄液
５２    貯水装置
５３    給水ポンプ
５４    散水ノズル
５５    排水トレイ
５６    孔
５７    開閉弁
５８    汚れ除去メッシュ
５９    ホルダ
６０    取手
６１    添加剤
６２    添加剤ポケット
６３    底面
６４    添加剤流出面
１０１    吸込口
１０２    フード
１０３    壁面
１０４    ダクト
１０５    排出口
１０６    回転軸
１０７    電動機
１０８    羽根車
１０９    洗浄ケーシング
１１０    通風路
１１１    整流板
１１２    洗浄液
１１３    貯水装置
１１４    給水ポンプ
１１５    散水ノズル
１１６    孔
１１７    開閉弁
１１８    排水トレイ
１１９    主板
１２０    ブレード
１２１    油捕集機構部
【図１】
2018009777.tif 000003
【図２】
2018009777.tif 000004
【図３】
2018009777.tif 000005
【図４】
2018009777.tif 000006
【図５】
2018009777.tif 000007
【図６】
2018009777.tif 000008
【図７】
2018009777.tif 000009
【図８】
2018009777.tif 000010
【図９】
2018009777.tif 000011
【図１０】
2018009777.tif 000012
【図１１】
2018009777.tif 000013